【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
電力コンバータを制御するためのコントローラであって、前記電力コンバータが、バイポーラ接合トランジスタ（ＢＪＴ）をスイッチとして有し、前記ＢＪＴのベースが駆動巻線に接続され、前記駆動巻線が、電力コンバータ負荷電流を搬送する負荷巻線に磁気的に結合される、コントローラにおいて、
前記負荷巻線および前記駆動巻線に磁気的に結合された制御巻線に接続するための第１および第２の制御巻線接続部と、
前記第１の制御巻線接続部と前記第２の制御巻線接続部との間で互いに直列で配置された第１および第２の双方向電子スイッチと、
前記第１のスイッチと並列で接続された第１のダイオードとを含む電流制御要素を有するコントローラ。
【請求項２】
前記第１および前記第２のスイッチのそれぞれと前記制御巻線接続部のそれぞれとの間に電気経路が形成され、前記経路がダイオードを含まない、請求項１に記載のコントローラ。
【請求項３】
第１および第２のスイッチを制御するための制御ユニットをさらに含む、請求項１または２に記載のコントローラ。
【請求項４】
前記制御ユニットが、前記第１のスイッチと前記第２のスイッチを共に選択的に閉じるように前記第１および第２のスイッチを制御し、それにより、前記第１の制御巻線接続部と前記第２の制御巻線接続部との間に双方向短絡をもたらすように適合されている、請求項３に記載のコントローラ。
【請求項５】
前記制御ユニットが、選択的に前記第１のスイッチを開き前記第２のスイッチを閉じるように前記第１および第２のスイッチを制御し、それにより、前記第１のダイオードを介して前記第１の制御巻線接続部と前記第２の制御巻線接続部との間に単方向短絡をもたらすように適合されている、請求項３または４に記載のコントローラ。
【請求項６】
前記制御ユニットが、前記第１のスイッチと前記第２のスイッチを共に選択的に開くように前記第１および第２のスイッチを制御し、それにより、前記第１の制御巻線接続部と前記第２の制御巻線接続部とを電気的に切断するように適合されている、請求項３、４、または５に記載のコントローラ。
【請求項７】
前記電流制御要素が、第１の電源接続部と第１の制御巻線接続部との間に結合された第３のスイッチをさらに含む、請求項３、４、５、または６に記載のコントローラ。
【請求項８】
前記制御ユニットが、前記第３のスイッチを制御し、前記第１の電源接続部と前記第１の制御巻線接続部との間に接続部を選択的に設けるように適合されている、請求項７に記載のコントローラ。
【請求項９】
前記電流制御要素が、前記第１の電源接続部と前記第２の制御巻線接続部との間に結合された第４のスイッチをさらに含む、請求項７または８に記載のコントローラ。
【請求項１０】
前記制御ユニットが、前記第４のスイッチを制御し、前記第１の電源接続部と前記第２の制御巻線接続部との間に接続部を選択的に設けるように適合されている、請求項９に記載のコントローラ。
【請求項１１】
前記制御ユニットが、前記第３のスイッチまたは前記第４のスイッチを選択的に閉じ、前記制御巻線内の電流の流れの方向を制御するように構成されている、請求項１０に記載のコントローラ。
【請求項１２】
前記第１のスイッチと前記第２のスイッチとの間に第２の電源接続部が結合されている、請求項７から１１のいずれか一項に記載のコントローラ。
【請求項１３】
前記第２のスイッチと並列で接続された第２のダイオードであって、前記第１のダイオードと第２のダイオードとを同時に電流が流れないようにするために前記第１のダイオードと反対向きに配向された第２のダイオードをさらに含み、前記制御ユニットが、選択的に前記第１のスイッチを閉じ前記第２のスイッチを開き、それにより、前記第２のダイオードを介して前記制御巻線接続部間に単方向短絡をもたらすように構成されている、請求項３から１２のいずれか一項に記載のコントローラ。
【請求項１４】
前記第２のスイッチと並列で接続された第２のダイオードであって、前記第１のダイオードと第２のダイオードとを同時に電流が流れないようにするために前記第１のダイオードと反対向きに配向された第２のダイオードをさらに含む、請求項１または２に記載のコントローラ。
【請求項１５】
電力コンバータを制御するためのコントローラであって、前記電力コンバータが、バイポーラ接合トランジスタ（ＢＪＴ）をスイッチとして有し、前記ＢＪＴのベースが駆動巻線に接続され、前記駆動巻線が、電力コンバータ負荷電流を搬送する負荷巻線に磁気的に結合される、コントローラにおいて、
前記負荷巻線および前記駆動巻線に磁気的に結合された制御巻線に接続するための第１および第２の制御巻線接続部と、
前記第１の制御巻線接続部と前記第２の制御巻線接続部との間にダイオードを含まない双方向短絡をもたらすようにそれらの間に配置された、電界効果トランジスタ（ＦＥＴ）の形態の第１のスイッチとを含む電流制御要素を有するコントローラ。
【請求項１６】
前記電流制御要素が、第１の電源接続部と前記第１の制御巻線接続部との間に配置された第２のスイッチをさらに含む、請求項１５に記載のコントローラ。
【請求項１７】
電力コンバータを制御するためのコントローラであって、前記電力コンバータが、バイポーラ接合トランジスタ（ＢＪＴ）をスイッチとして有し、前記ＢＪＴのベースが駆動巻線に接続され、前記駆動巻線が、電力コンバータ負荷電流を搬送する負荷巻線に磁気的に結合される、コントローラにおいて、
前記負荷巻線および前記駆動巻線に磁気的に結合された制御巻線に接続するための第１および第２の制御巻線接続部と、
前記第１の制御巻線接続部と前記第２の制御巻線接続部との間に双方向短絡をもたらすようにそれらの間に配置された第１の双方向電子スイッチと、
第１の電源接続部と前記第１の制御巻線接続部との間に配置された第２のスイッチとを含む電流制御要素を有するコントローラ。
【請求項１８】
前記第１のスイッチと前記第１および第２の制御巻線接続部のそれぞれとの間に電気経路が形成され、前記経路がダイオードを含まない、請求項１７に記載のコントローラ。
【請求項１９】
前記第１および前記第２のスイッチを制御するための制御ユニットをさらに含む、請求項１５から１８のいずれか一項に記載のコントローラ。
【請求項２０】
制御ユニットが、前記第１のスイッチを選択的に閉じるように制御し、それにより前記第１の制御巻線接続部と前記第２の制御巻線接続部との間に双方向短絡をもたらすように適合されている、請求項１９に記載のコントローラ。
【請求項２１】
制御ユニットが、前記第２のスイッチを制御し、前記第１の電源接続部と前記第１の制御巻線接続部との間に接続部を選択的に設けるように適合されている、請求項１９に記載のコントローラ。
【請求項２２】
前記電流制御要素が、前記第１の電源接続部と前記第２の制御巻線接続部との間に結合された第３のスイッチをさらに含む、請求項１９、２０、または２１に記載のコントローラ。
【請求項２３】
前記制御ユニットが、前記第３のスイッチを制御し、前記第１の電源接続部と前記第２の制御巻線接続部との間に接続部を選択的に設けるように適合されている、請求項２２に記載のコントローラ。
【請求項２４】
前記電流制御要素が、
前記第１のスイッチと前記第２の制御巻線接続部との間に結合された第４の双方向電子スイッチと、
前記第１のスイッチと並列で接続された第１のダイオードと
をさらに含む、請求項２２または２３に記載のコントローラ。
【請求項２５】
前記制御ユニットが、選択的に前記第１のスイッチを開き前記第４のスイッチを閉じるように前記第１および第４のスイッチを制御し、それにより前記第１のダイオードを介して前記第１の制御巻線接続部と前記第２の制御巻線接続部との間に単方向短絡をもたらすように構成されている、請求項２４に記載のコントローラ。
【請求項２６】
前記第４のスイッチと並列で接続された第２のダイオードであって、前記第１のダイオードと第２のダイオードとを同時に電流が流れないようにするために前記第１のダイオードと反対向きに配向された第２のダイオードをさらに含む、請求項２４または２５に記載のコントローラ。
【請求項２７】
前記制御ユニットが、選択的に前記第１のスイッチを閉じ前記第４のスイッチを開くように前記第１および第４のスイッチを制御し、それにより前記第２のダイオードを介して前記第１の制御巻線接続部と前記第２の制御巻線接続部との間に単方向短絡をもたらすように構成されている、請求項２６に記載のコントローラ。
【請求項２８】
前記第１のスイッチと前記第２のスイッチとの間に結合された第２の電源接続部をさらに含む、請求項２４から２７のいずれか一項に記載のコントローラ。
【請求項２９】
前記制御ユニットが、電流制御要素内の前記スイッチを流れる電流を測定するために、それらのうちの１つに電気的に結合された１つまたは複数の電圧検知用接続部を有する、請求項３から１３または１９から２８のいずれか一項に記載のコントローラ。
【請求項３０】
前記制御ユニットが、１つまたは複数の前記電圧検知用接続部上の電圧に基づいて前記スイッチを制御する、請求項２９に記載のコントローラ。
【請求項３１】
電力コンバータを制御するための方法であって、前記電力コンバータが、ＢＪＴをスイッチとして有し、前記駆動巻線が、電力コンバータ負荷電流を搬送する負荷巻線に磁気的に結合され、それにより、前記電力コンバータに対する制御が、前記駆動巻線に磁気的に結合された制御巻線を制御することによって行われる、方法において、ダイオードを含まない、前記制御巻線の両端間の双方向短絡を選択的にもたらすことを含む方法。
【請求項３２】
電力コンバータを制御するための方法であって、前記電力コンバータが、ＢＪＴをスイッチとして有し、前記駆動巻線が、電力コンバータ負荷電流を搬送する負荷巻線に磁気的に結合され、それにより、前記電力コンバータに対する制御が、前記駆動巻線に磁気的に結合された制御巻線を制御することによって行われる、方法において、
前記制御巻線の両端間の双方向短絡、
前記制御巻線の両端間の単方向短絡、
および前記制御巻線の両端間に電気経路なし、のうちの１つを選択的にもたらすことを含む方法。
【請求項３３】
前記駆動巻線内の電流を修正するように追加の電流を前記制御巻線に送ることによって、前記制御巻線内の電流を選択的に制御することをさらに含む、請求項３１または３２に記載の方法。
【請求項３４】
前記双方向スイッチが電界効果トランジスタである、請求項１から３０のいずれか一項に記載のコントローラ。
【請求項３５】
請求項１から３０のいずれか一項に記載のコントローラを使用する集積回路。
【請求項３６】
請求項３１から３３のいずれか一項に記載の方法を実施するように構成された集積回路。
【請求項３７】
請求項１から３０のいずれか一項に記載のコントローラを備える電力コンバータ。
【請求項３８】
請求項３１から３３のいずれか一項に記載の方法によって制御される電力コンバータ。